(57)【要約】【課題】現行の放送規格で送信される映像信号のダイナミックレンジよりも広いダイナミックレンジを表現できる映像信号であることを、ユーザーに知らせることができる画像処理システムおよび画像処理装置ならびに画像処理方法を提供する。【解決手段】実施形態の画像処理装置は、取得した映像信号から輝度情報を抽出する抽出手段と、抽出した前記輝度情報に、ダイナミックレンジが、第１規格に準じて送信される映像のダイナミックレンジと比較して高い、第２規格に準じて送信される映像のダイナミックレンジであることを示す記述が含まれていることを判定する判定手段と、前記輝度情報が前記記述を含む場合、判定結果を記録部に記録する記録手段と、前記記録手段によって記録された前記判定結果を読み出し、前記映像信号に対応する情報と、前記映像信号が第２規格に準じて送信される映像のダイナミックレンジであることが識別できる情報と、を併せて表示器に表示する輝度情報表示手段と、を備える。【選択図】図５
2016122985.tif 000002
【特許請求の範囲】
【請求項１】
輝度のダイナミックレンジが、第１規格に準じて送信される映像のダイナミックレンジと比較して高い、第２規格に準じて送信される映像のダイナミックレンジであることを、ＴＳ（トランスポートストリーム）に埋め込まれた所定のフィールドに記述して送信する信号送信機と、
前記所定のフィールドに記述された輝度情報を読み取る信号受信機と、を備える画像処理システム。
【請求項２】
取得した映像信号から輝度情報を抽出する抽出手段と、
抽出した前記輝度情報に、ダイナミックレンジが、第１規格に準じて送信される映像のダイナミックレンジと比較して高い、第２規格に準じて送信される映像のダイナミックレンジであることを示す記述が含まれていることを判定する判定手段と、
前記輝度情報が前記記述を含む場合、判定結果を記録部に記録する記録手段と、
前記記録手段によって記録された前記判定結果を読み出し、前記映像信号に対応する情報と、前記映像信号が第２規格に準じて送信される映像のダイナミックレンジであることが識別できる情報と、を併せて表示器に表示する輝度情報表示手段と、を備える画像処理装置。
【請求項３】
前記記述子は、拡張形式イベント記述子である請求項２に記載の画像処理装置。
【請求項４】
前記判定手段は、前記記述子に記述された特定の記述に基づいて判定する請求項２または３の何れか１項に記載の画像処理装置。
【請求項５】
取得した映像信号から輝度情報を抽出し、
抽出した前記輝度情報に、輝度のダイナミックレンジが、第１規格に準じて送信される映像のダイナミックレンジと比較して高い、第２規格に準じて送信される映像のダイナミックレンジであることを示す記述が含まれていることを判定し、
前記輝度情報が前記記述を含む場合、前記判定の判定結果を記録し、
記録された前記判定結果を読み出し、前記映像信号に対応する情報と、前記映像信号が第２規格に準じて送信される映像のダイナミックレンジであることが識別できる情報と、を併せて表示器に表示する画像処理方法。
【発明の詳細な説明】
【技術分野】
【０００１】
この発明は、表示映像の表示特性を最適化する画像処理システム、画像処理装置および画像処理方法に関する。
【背景技術】
【０００２】
近年、ダイナミックレンジが広い映像を表示可能である表示パネルが普及しつつある。上記の表示パネルでは、白つぶれ防止のために、高輝度側の情報を圧縮して符号化された映像を、復号して表示することが可能である。
【０００３】
また、次世代の放送規格では、現行の放送規格と比較して、ダイナミックレンジが広い映像信号が送信される可能性がある。
【先行技術文献】
【特許文献】
【０００４】
【特許文献１】特開２００９−２５１０７９号公報
【発明の概要】
【発明が解決しようとする課題】
【０００５】
しかしながら、現在のところ、受信した映像信号を表示器に表示した際に、表示された映像が現行の放送規格で送信された映像信号を再生した映像であるか、現行の放送規格と比較して広いダイナミックレンジを表現できる放送規格で送信された映像信号を再生した映像であるかを、ユーザーに明示する方法は、規定されていない。
【０００６】
従って、ユーザーが番組または再生映像毎に異なるダイナミックレンジの映像を視聴した場合、ユーザーは、機器の故障と混同する可能性がある。
【０００７】
この発明の目的は、現行の放送規格で送信される映像信号のダイナミックレンジよりも広いダイナミックレンジを表現できる映像信号であることを、ユーザーに知らせることができる画像処理システムおよび画像処理装置ならびに画像処理方法を提供することである。
【課題を解決するための手段】
【０００８】
実施形態の画像処理装置は、取得した映像信号から輝度情報を抽出する抽出手段と、抽出した前記輝度情報に、ダイナミックレンジが、第１規格に準じて送信される映像のダイナミックレンジと比較して高い、第２規格に準じて送信される映像のダイナミックレンジであることを示す記述が含まれていることを判定する判定手段と、前記輝度情報が前記記述を含む場合、判定結果を記録部に記録する記録手段と、前記記録手段によって記録された前記判定結果を読み出し、前記映像信号に対応する情報と、前記映像信号が第２規格に準じて送信される映像のダイナミックレンジであることが識別できる情報と、を併せて表示器に表示する輝度情報表示手段と、を備える。
【図面の簡単な説明】
【０００９】
【図１】図１は、実施形態に係る画像処理システムの一例を示す図である。
【図２】図２は、ＥＩＴのデータ構造を示す図である。
【図３Ａ】図３Ａは、短形式イベント記述子のデータ構造を示した図である。
【図３Ｂ】図３Ｂは、短形式イベント記述子のデータ構造を示した図である。
【図４Ａ】図４Ａは、拡張形式イベント記述子のデータ構造を示した図である。
【図４Ｂ】図４Ｂは、拡張形式イベント記述子のデータ構造を示した図である。
【図５】図５は、実施形態に係る画像処理装置の構成の一例を示す図である。
【図６】図６は、実施形態に係る画像処理装置が行う処理を示したフローチャートである。
【図７】図７は、実施形態に係る画像処理装置が行う処理を示したフローチャートである。
【図８】図８は、識別情報が付加された番組リストの例を示した図である。
【図９】図９は、録画した番組の番組欄の例を示した図である。
【図１０】図１０は、番組説明の表示例を示した図である。
【発明を実施するための形態】
【００１０】
以下、図面を参照して、本発明の実施の一形態について説明する。なお、本願明細書において、「ダイナミックレンジが高い」ことと「ダイナミックレンジが広い」こととは、同じ意味で使用される。
【００１１】
図１は、実施形態に係る画像処理システムの一例を示す図である。
【００１２】
図１が示す画像処理システムは、信号送信機と画像処理装置１（信号受信機）とを備える。信号送信機は、例えば、放送局が備える放送設備の一部であり、ＴＶ番組などの映像信号を送信する。画像処理装置１は、アンテナＡＮＴを介して、信号送信機が放送する映像信号（地上波及び衛星波）を受信する。信号送信機は、映像信号とともに、映像の輝度情報および／または色域情報を送信し、画像処理装置１（信号受信機）は、受信した映像信号から、上記映像の輝度情報および／または色域情報を読み取る。
【００１３】
なお、図１が示す画像処理システムにおいて、画像再生装置１が受信する放送信号は、社団法人電波産業会、すなわちＡＲＩＢ（Association of Radio Industries and Businesses）が規定する標準規格に準拠する輝度情報および／または色域情報を、少なくとも含む。
【００１４】
輝度情報は、例えば、以下の情報を含む。  
（ｉ）映像データが、ダイナミックレンジが高い（広い）映像の高輝度側の情報が圧縮された映像データであること  
（ｉｉ）圧縮された映像データを復号するための復号方法
ダイナミックレンジが高い映像の高輝度側の情報とは、例えば、５００nitレベルの映像を表現可能なバックライトを有する表示器では表示できないが、１０００乃至１００００nitレベルの映像を表現可能なバックライトを有する表示器において、表示可能となる情報である。或いは、高いダイナミックレンジとは、高精細度テレビジョン方式スタジオ規格（第１規格）に準じて送信される映像のダイナミックレンジと比較して高い、超高精細度テレビジョン方式スタジオ規格（第２規格）に準じて送信される映像のダイナミックレンジを意味してもよい。
【００１５】
また、色域情報は、送信される映像の色域が、ＡＲＩＢの標準規格である「ＢＴ．７０９」に準じるか、または、「ＢＴ．７０９」と比較してより広い色域を規定した「ＢＴ．２０２０」に準じるか、を示す記述を含む。「ＢＴ．７０９」は、高精細度テレビジョン方式スタジオ規格（第１規格）に準拠し、「ＢＴ．２０２０」は、超高精細度テレビジョン方式スタジオ規格（第２規格）に準拠する。
【００１６】
以下、信号送信機および画像処理装置１について、その詳細を説明する。
【００１７】
信号送信機は、例えば、ＭＰＥＧ２システムズまたはスケーラブル方式の映像伝送方式に従って、映像信号を送信する。上記映像信号は、映像に対応するＴＳ（Transportstream : トランスポートストリーム）を含む。ＴＳには、映像および音声に関するパケットの他に、セクション形式のデータが含まれる。例えば、ＴＳの分配システム、内容、スケジュールまたはタイミングなどを記述するＳＩ（Service Information : 番組配列情報）は、情報が記述された（または多重化された）複数のフィールドからなるデータ構造である。ＳＩには、番組名称、放送日時または放送内容等の番組に関する情報を示すＥＩＴ（Event Information Table）が含まれる。ＥＩＴのデータ構造には、記述子領域が存在し、記述子領域は、複数の記述子を含む。信号送信機は、上記記述子領域に含まれる記述子において、映像の輝度情報および／または色域情報を記述する。
【００１８】
図２は、ＥＩＴのデータ構造を示す図である。  
図２が示すＥＩＴの構造は、ＡＲＩＢが規定する標準規格である『ＡＲＩＢ＿ＳＴＤ−Ｂ１０「デジタル放送に使用する番組配列情報」５．１版（２０１２．０９．２５改定）』に準じている。
【００１９】
ＥＩＴには、番組名称や放送日時あるいは放送内容、等の番組に関する情報が埋め込まれる。また、上述したＥＩＴに含まれる記述子領域１０１（図２中、斜線が引かれたセクション）は、異なる記述子を使用することにより、異なる種類のイベント情報を伝送することができる。上記記述子領域１０１は、ＥＩＴのデータ構造において、ＣＲＣ（Cyclic Redundancy Check）の前側に位置する（ＣＲＣがテーブルの最終フィールドになる）。なお、ＣＲＣは、データが正しいか否かをチェックする３２ビットのチェック符号である。
【００２０】
イベント情報を記述することができる上記複数の記述子のうち、例えば、短形式イベント記述子（short event descriptor）または拡張形式イベント記述子（extended event descriptor）に、輝度情報および／または色域情報が記述される。以下に、短形式イベント記述子および拡張形式イベント記述子の詳細を説明する。なお、輝度情報および／または色域情報を記述するために、短形式イベント記述子または拡張式イベント記述子とは別に、新規の記述子を用いることもできる。
【００２１】
短形式イベント記述子は、ＥＩＴに必須とされる番組名と番組の簡単な説明の記述を行える記述子であり、拡張形式イベント記述子は、番組に関する詳細情報の記述を行える記述子である。そのため、短形式イベント記述子および拡張形式イベント記述子は、番組毎の輝度情報および／または色域情報の記述に好適である。
【００２２】
図３Ａおよび図３Ｂは、それぞれ、短形式イベント記述子のデータ構造を示した図である。図３Ａは、データ構造をなす各フィールドが並んだ列を概念的に示した図である。
【００２３】
以下に、短形式イベント記述子（short_event_descriptor）の各フィールドの役割を簡単に説明する。
【００２４】
・descriptor_tag（記述子タグ）  
：各記述子を識別する。ISO/IEC 13818-1に記載されている。  
・descriptor_length（記述子長）  
：直後に続く記述子長のデータ部分の全バイト長を規定する。  
・ISO_639_language_code（言語コード）  
：後続の文字情報フィールドの言語をアルファベット３文字コードで表す。  
・event_name_length（番組名長）  
：後続の番組名のバイト長を表す。  
・event_name_char（番組名）  
：番組名を表す。  
・text_length（番組記述長）  
：後続の番組記述のバイト長を表す。  
・text_char（番組記述）  
：番組の説明を記述する。  
ダイナミックレンジの情報は、例えば、データ構造をなすフィールドのうち、番組の説明を記述する番組記述欄‘ｔｅｘｔ＿ｃｈａｒ’のフィールドに、広いダイナミックレンジを示す文字列（例えば、ＨＤＲまたはＢＴ．２０２０、等）が記述（多重化）されて伝送される。画像処理装置１（信号受信機）は、フィールドに記載された上記コードを読み取り、映像が広いダイナミックレンジ（高い輝度および／または広色域）で製作されたものであることを知ることができる。
【００２５】
但し、短形式イベント記述子に色域情報の記述を多重化する場合は、短形式イベント記述子がＥＩＴに必須に用意される記述子であることから、「番組の内容の記述」と、「広いダイナミックレンジであるメッセージ」と、を明確に区別できることが望ましい。例えば、ＨＤＲまたはＢＴ．２０２０を％ＨＤＲ％または％ＢＴ．２０２０％と表記して、区別する。
【００２６】
図３Ｂは、上記各フィールドがコード形式で記載された、データ構造の別の表示例である。図３Ｂの例では、‘ｔｅｘｔ＿ｃｈａｒ’のフィールドに、％ｂｒｉｇｈｔｎｅｓｓ：ＨＤＲ％の文字列が記載され、輝度のダイナミックレンジが広いことが示されている。
【００２７】
図４Ａおよび図４Ｂは、それぞれ、拡張形式イベント記述子のデータ構造を示した図である。図４Ａは、データ構造をなす各フィールドが並んだ列を概念的に示した図である。
【００２８】
以下に、記述子（Extended_event_descriptor）の中身を簡単に説明する。
【００２９】
・descriptor_tag（記述子タグ）  
：各記述子を識別する。ISO/IEC 13818-1に記載されている。  
・descriptor_length（記述子長）  
：直後に続く記述子長のデータ部分の全バイト長を規定する。  
・descriptor_number（記述子番号）  
：一つの記述子に入りきらない情報を関係付ける番号。  
・last_descriptor_number（最終記述子番号）  
：関連付けられた記述子セットの最終拡張形式イベント記述子の番号を示す。  
・ISO_639_language_code（言語コード）  
：後続の文字情報フィールドの言語をアルファベット３文字コードで表す。  
・length_of_items（項目長）  
：後続の項目のバイト長を示す。  
・item_description_length（項目名長）  
：項目名のバイト長を示す。  
・item_ description_char（項目名）  
：項目名の文字記述を規定する。  
・item_length（項目記述長）  
：項目記述のバイト長を示す。  
・item_char（項目記述）  
：項目の文字記述を規定する。  
・text_length（拡張記述長）  
：項目無しの拡張記述のバイト長を示す。  
・text_char（拡張記述）  
：項目無しの文字記述を規定する。  
ダイナミックレンジの情報は、例えば、データ構造をなすフィールドのうち、項目記述欄である‘ｉｔｅｍ＿ｃｈａｒ’または拡張記述欄である‘ｔｅｘｔ＿ｃｈａｒ’のフィールドに、広いダイナミックレンジを示す文字列（例えば、ＨＤＲまたはＢＴ．２０２０、等）が記述（多重化）されて伝送される。画像処理装置１（信号受信機）は、フィールドに記載された上記コードを読み取り、映像が広いダイナミックレンジ（高い輝度および／または広色域）で製作されたものであることを知ることができる。
【００３０】
なお、拡張式イベント記述子は、任意に、短形式イベント記述子に付属することができる。拡張式イベント記述子は、短形式イベント記述子にダイナミックレンジの情報を記述する場合と異なり、同一箇所に番組内容とダイナミックレンジのメッセージとを記述することはない。従って、「番組内容記述」と「広色域であるメッセージ」とを明確に区別することが可能である。
【００３１】
図４Ｂは、上記各フィールドがコード形式で記載された、データ構造の別の表示例である。図４Ｂの例では、‘ｉｔｅｍ＿ｃｈａｒ’のフィールドに、％ｂｒｉｇｈｔｎｅｓｓ：ＨＤＲ％の文字列が記載され、輝度のダイナミックレンジが広いことが示されている。
【００３２】
上記の方法で、信号送信機は、ＴＳ中に輝度情報および／または色域情報を埋め込み、映像信号を送信する。
【００３３】
次に、図面を参照しながら実施形態に係る画像処理装置１（信号受信機）について説明する。画像処理装置１は、ＴＳに埋め込まれた上記所定のフィールドに記述された輝度情報および／または色域情報を読み取る。
【００３４】
図５は、実施形態に係る画像処理装置１の構成の一例を示す図である。
【００３５】
図５に示すように、第１の実施形態に係る画像処理装置１は、アンテナＡＮＴ、入力端子１０２、チューナー部１０３、外部入力端子１０４〜１０７、信号処理部１０８、コントローラ１１０、ＯＳＤ（On - Screen Display）信号生成部１１１、グラフィック処理部１１２、映像処理部１１３、音声処理部１１４、操作部１１５、受信部１１７、カードホルダ１１９、カードインターフェース１２０、明るさセンサ１２１、ＬＡＮ端子１２２、通信インターフェース１２３、ＵＳＢ端子１２４、ＵＳＢインターフェース１２５、ＨＤＭＩ（登録商標）端子１２８、ＨＤＭＩインターフェース１２９、映像表示部１４１（表示器）、スピーカ１４２、記録部１５１を備えている。なお上記の各モジュールはそれぞれハードウェア回路として構成されており、各モジュールは例えば専用線や汎用通信バス等の電気信号線により接続されている。
【００３６】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した番組表を受信し、表示することができる。また、ＢＳ／ＣＳデジタルテレビジョン放送用のチューナーにより、ＢＳ／ＣＳデジタルテレビジョン放送に対応した番組表を受信し、表示することもできる。
【００３７】
また、本実施形態では、図５に示すように、画像処理装置１が、映像表示部１４１及びスピーカ１４２を備えるケースについて説明する。しかしながら、画像処理装置１は、このような構成に限定されるものではない。例えば、画像処理装置１は、映像表示部１４１及びスピーカ１４２を含まない構成であってもよい。つまり、画像処理装置１は、ＨＤＭＩ等の接続手段を介して映像表示部１４１及びスピーカ１４２と接続する構成であってもよい。
【００３８】
また、本実施形態の画像処理装置１では、図５に示すように、記録部１５１がコントローラ１１０と一体となっているケースについて説明する。しかしながら、画像処理装置１は、このような構成に限定されるものではない。例えば、記録部１５１は、ＵＳＢ端子１２４及びＵＳＢインターフェース１２５などの接続手段を介して画像処理装置１と接続される構成であってもよい。記録部１５１は、例えば、大容量のＨＤＤ（Hard Disk Drive）であり、多くの録画番組が記録されている。
【００３９】
また、本実施形態では、図５に示すように、画像処理装置１が、複数のチューナーを備えるケースについて説明する。しかしながら、画像処理装置１は、このような構成に限定されない。例えば、画像処理装置１が、チューナーを含まない構成であってもよい。その場合、例えば、画像処理装置１は、ＬＡＮ端子１２２を介してＩＰ（Internet Protocol）放送を受信し、ＩＰ放送の複数チャンネルに対応した番組を再生したり、録画したりする構成であってもよい。
【００４０】
以下、画像処理装置１の詳細について説明する。
【００４１】
地上波放送受信用のアンテナ１０１で受信した地上デジタルテレビジョン放送信号（映像信号）は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、信号処理部１０８に供給されて、デジタルの映像信号及びデジタルの音声信号に分離されて復調される。また、併せて、信号処理部１０８は、取得した映像信号からセクション形式のデータを分離する。セクション形式のデータは、上述したＳＩを含む。
【００４２】
ここで、上記信号処理部１０８は、上記デジタルの映像信号及び音声信号に対して、選択的に所定のデジタル信号処理を施し、グラフィック処理部１１２及び音声処理部１１４に出力している。
【００４３】
また、上記信号処理部１０８には、例えば、４つの入力端子１０４〜１０７が接続されている。これら入力端子１０４〜１０７は、それぞれ、アナログの映像信号及び音声信号を、画像処理装置１の外部から入力可能とするものである。
【００４４】
そして、この信号処理部１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理部１１２及び音声処理部１１４に出力している。
【００４５】
このうち、グラフィック処理部１１２は、信号処理部１０８から供給されるデジタルの映像信号に、ＯＳＤ信号生成部１１１で生成されるＯＳＤ信号を重畳して出力する機能を有する。このグラフィック処理部１１２は、信号処理部１０８の出力映像信号と、ＯＳＤ信号生成部１１１の出力ＯＳＤ信号とを選択的に出力することができる。
【００４６】
そして、グラフィック処理部１１２から出力されたデジタルの映像信号は、映像処理部１１３に供給される。映像処理部１１３により処理された映像信号は、映像表示部１４１に供給される。映像表示部１４１は、映像信号に基づく映像を表示する。
【００４７】
また、上記音声処理部１１４は、入力されたデジタルの音声信号を、スピーカ１４２で再生可能なフォーマットのアナログ音声信号に変換した後、スピーカ１４２に出力して音声再生させる。
【００４８】
ここで、この画像処理装置１において、上記した各種の受信動作を含むその全ての動作は、コントローラ１１０によって統括的に制御されている。コントローラ１１０は、ＣＰＵ（central processing unit）１１００等を備え、操作部１１５からの操作情報（各種指示）、または、リモートコントローラ１１６から送出され受信部１１７を介して受信した操作情報（各種指示）を受けて、その操作内容が反映されるように各モジュール等をそれぞれ制御する。
【００４９】
また、コントローラ１１０は、コンテンツの再生制御の機能も有しており、入力された操作情報に応じてコンテンツ再生を制御する。なお、受信部１１７及びリモートコントローラ１１６は、電波等を用いる無線通信により操作信号の送受信を行うものであってもよいし、赤外線を利用するものであってもよい。ここで、コンテンツとは、例えば、受信した放送信号を録画した録画番組、ビデオカメラ等で撮影して記録した記録コンテンツ、インターネット上に接続されたサーバに蓄えられているデータ等を示す。
【００５０】
また、コントローラ１１０は、ＣＰＵ１１００が実行する制御プログラムを格納したＲＯＭ（read only memory）１１０１と、ＣＰＵ１１００に作業エリアを提供するＲＡＭ（random access memory）１１０２と、各種の設定情報及び制御情報等が格納される不揮発性メモリ１１０３と、を備えている。そして、ＲＯＭ１１０１、ＲＡＭ１１０２及び不揮発性メモリ１１０３は、ＣＰＵ１１００と電気的に接続されている。
【００５１】
ＣＰＵ１１００は、信号処理部１０８が分離した上記セクション形式のデータから輝度情報および／または色域情報を抽出する。具体的には、ＣＰＵ１１００は、例えば、ＳＩに含まれるＥＩＴのデータ構造を構成する、短形式イベント記述子または拡張形式イベント記述子内に埋め込まれた、輝度情報および／または色域情報が多重化されたフィールドを抽出する。
【００５２】
また、ＣＰＵ１１００は、抽出した上記輝度情報および／または色域情報に、ダイナミックレンジが、第１規格に準じて送信される映像のダイナミックレンジと比較して高い、第２規格に準じて送信される映像のダイナミックレンジであることを示す記述が含まれていることを判定する。具体的には、ＣＰＵ１１００は、例えば、上記抽出されたフィールド内の、番組記述欄、項目記述欄、または、拡張記述欄にダイナミックレンジに関する上記記述が含まれているか判定する。
【００５３】
ＣＰＵ１１００は、上記輝度情報および／または色域情報が上記記述を含む場合、例えば、ＲＡＭ１１０２または不揮発性メモリ１１０３に判定結果を記録する。ここで、第１規格は、例えば、高精細度テレビジョン方式スタジオ規格を意味し、第２規格は、例えば、超高精細度テレビジョン方式スタジオ規格を意味する。
【００５４】
コントローラ１１０は、輝度情報表示手段２００を更に備える。輝度情報表示手段２００は、例えば、リモートコントローラ１１６の所定のキー操作に応じて、ＣＰＵ１１００によって記録された上記判定結果を読み出し、映像信号に対応する情報と、映像信号が第２規格に準じて送信される映像のダイナミックレンジであることが識別できる情報と、を併せて表示器に表示する。映像信号に対応する情報とは、例えば、番組リストであり、ダイナミックレンジを識別できる情報とは、例えば、特定の目印、または、メッセージである。なお、輝度情報表示手段２００は、ＣＰＵ１１００が実行するソフトウェアモジュールでも良いが、ハードウェアであっても良い。
【００５５】
コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報の送受信を行なうことができる。
【００５６】
また、上記コントローラ１１０は、通信インターフェース１２３を介してＬＡＮ端子１２２と接続されている。コントローラ１１０は、ＬＡＮ端子１２２に接続されたＬＡＮ対応機器と、通信インターフェース１２３を介して情報の送受信を行なうことができる。この場合、コントローラ１１０は、ＤＨＣＰ（dynamic host configuration protocol）サーバ機能を有し、ＬＡＮ端子１２２に接続されたＬＡＮ対応機器にＩＰアドレスを割り当ててＬＡＮ対応機器を制御している。ＬＡＮ端子１２２は、無線ＬＡＮの子機が接続されていてもよく、有線ＬＡＮの端子が接続されていてもよい。画像処理装置１は、通信インターフェース１２３を介して、ネットワークに接続された、サーバおよびスマートフォンならびにタブレットといった携帯端末と通信可能である。
【００５７】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報の送受信を行なうことができる。
【００５８】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報の送受信を行なうことができる。
【００５９】
さらに、上記コントローラ１１０は、チューナー部１０３により選局されデスクランブルされた放送信号を、記録部１５１またはＬＡＮ端子１２２もしくはＵＳＢ端子１２４を介して接続された外部記憶装置（ＨＤＤなど）へ録画するための録画動作を制御することもできる。
【００６０】
さらに、上記コントローラ１１０は、明るさセンサ１２１からの明るさ検出信号を受信するように構成されている。これにより、コントローラ１１０は、明るさ検出信号に基づき、映像及びバックライトの明るさ等を制御することができる。
【００６１】
また、上述したように、画像処理装置１が備えるチューナー部１０３は、複数のチューナー１０３１〜１０３８を有する。そのため、画像処理装置１は、同時に、複数チャンネルの番組を録画することができる。また、画像処理装置１は、同時に、複数チャンネルの番組を表示することもできる。また、画像処理装置１は、スクランブル放送を認証する機能も備えている。
【００６２】
以上が、画像処理装置１の概略的な説明である。以下に、上述の構成が採用された画像処理装置１が行う、取得した映像信号から輝度情報を抽出し、判定結果を記録部に記録するまでの処理および指示入力を受け付けてから映像信号に対応する情報とダイナミックレンジの識別情報とを併せて表示器に表示するまでの処理について説明する。なお、以下の処理において、輝度情報を色域情報に置き換えてもよい。
【００６３】
図６は、画像処理装置１が行う、取得した映像信号から輝度情報を抽出し、判定結果を記録部に記録するまでの処理を示したフローチャートである。先ず、信号処理部１０８（分離手段）が、取得した映像信号から、セクション形式のデータを分離する（６０１）。続いて、ＣＰＵ１１００が、分離したセクション形式のデータから輝度情報を抽出する（６０２）。続いて、ＣＰＵ１１００が、抽出した輝度情報に基づいて、受信した映像の輝度のダイナミックレンジが高いことの記述はあるかを判定する（６０３）。受信した映像の輝度のダイナミックレンジが高いことの記述がある場合（６０３−ＹＥＳ）、ＣＰＵ１１００は、輝度のダイナミックレンジが高いことをＲＡＭ１１０２に記録し（６０４）、画像処理装置１は待機状態に戻る。受信した映像の輝度のダイナミックレンジが高いことの記述がない場合（６０３−ＮＯ）、画像処理装置１はそのまま待機状態となる。なお、上記のフローでは、１つの映像（番組）について、ダイナミックレンジの判定をおこなったが、ＥＩＴに埋め込まれた他の映像（番組）についても同様の判定をする。
【００６４】
図７は、番組情報を表示するための指示入力を受け付けてから、映像信号に対応する情報とダイナミックレンジの識別情報とを併せて表示器に表示するまでの処理を示したフローチャートである。先ず、受信部１１７が番組情報（例えば、番組リスト）を表示する指示入力を受け付ける（７０１）。続いて、輝度情報表示部２００が、ＲＡＭ１１０２に記録された判定結果を読み出し、番組リストに表示される番組のうち、輝度のダイナミックレンジが高い番組欄に、識別情報を付加する信号を、ＯＳＤ信号生成部１１１に生成させ（７０２）、待機状態に戻る。
【００６５】
図８は、ダイナミックレンジに関する識別情報が付加された番組リスト８の例を示した図である。図８の番組リスト８において、第１列Ｃ１には、録画番組の放送時間帯が示され、第２列Ｃ２〜第６列Ｃ６には、放送局１〜放送局５が放送した番組１〜３３の番組欄が示されている。図８において、番組欄３、番組欄１６および番組欄２４には、映像の輝度のダイナミックレンジが高いことを示す識別情報ＢＭ（目印）が表示されている。また、番組欄１１には、映像の色のダイナミックレンジが広いことを示す識別情報ＣＭ（目印）が表示されている。また、番組欄１９には、映像の輝度および色のダイナミックレンジが広いことを示す識別情報ＢＣＭ（目印）が表示されている。なお、図８では、ダイナミックレンジの識別情報は、固有の目印であるが、代わりに、番組欄に、「輝度のダイナミックレンジが高い映像です」、「色のダイナミックレンジが高い映像です」等のメッセージを付加してもよい。
【００６６】
図９は、録画した番組の番組欄９の例を示した図である。番組欄９は、上段９０、中段９２及び下段９４からなる。上段９０には、サムネイル画像と放送局のロゴマーク９６が表示され、中段９２には、放送日時が表示され、下段９４には、番組のタイトル「ぼくらのフットボール」と番組映像の輝度のダイナミックレンジが高いことを示す識別情報ＢＭとが示されている。
【００６７】
図１０は、番組説明の表示例を示した図である。上方には、「番組説明」というタイトルが表示されている。タイトルの下方右側には、番組概要、放送事業者名および番組詳細情報が記載されている。タイトルの下方左側には、番組タイトル、放送日時、番組ジャンル、コピー制限情報、音声情報、アスペクト比等とともに、輝度のダイナミックレンジが広いことを示す識別情報ＢＭ（目印）が表示されている。
【００６８】
以上が実施形態に係る信号送信機および画像処理装置１に係る構成と信号処理の説明である。上記の構成が採用された信号送信機および画像処理装置１を備えた画像処理システムによれば、受信した映像信号が、現行の放送規格で送信される映像信号のダイナミックレンジよりも広いダイナミックレンジを表現できる映像信号であることを、ユーザーに知らせることができる。その結果、ユーザーは、番組または再生映像毎に異なるダイナミックレンジの映像を視聴しても、ユーザーは、機器の故障と混同せずにすむ。
【００６９】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７０】
例えば、上で説明した抽出手段および判定手段と同等の機能を果たすハードウェアを、ＣＰＵ１１００とは別に、コントローラ１１０内に設けてもよい。
【００７１】
また、画像処理装置１は、ビデオカメラ装置または携帯端末といった映像供給元から映像（番組）を取得することができる。画像処理装置１は、例えば、近距離無線通信方式または有線伝送方式により、映像供給元から映像を取得することができる。画像供給元がビデオカメラ装置である場合、画像処理装置１は、例えば、輝度情報および／または色域情報を、Ｅｘｉｆ（Exchangeable Image File Format）およびＤＣＦ（Design rule for Camera File system）から取得することができる。画像処理装置１は、ビデオカメラ装置から取得した上記輝度情報および／または色域情報に基づいて、上述したのと同様の識別情報を生成することが可能である。
【符号の説明】
【００７２】
１…画像処理装置、１０２…入力端子、１０３…チューナー部、１０４〜１０７…外部入力端子、１０８…信号処理部、１１０…コントローラ、１１１…ＯＳＤ信号生成部、１１２…グラフィック処理部、１１３…映像処理部、１１４…音声処理部、１１５…操作部、１１７…受信部、１１９…カードホルダ、１２０…カードインターフェース、１２１…明るさセンサ、１２２…ＬＡＮ端子、１２３…通信インターフェース、１２４…ＵＳＢ端子、１２５…ＵＳＢインターフェース、１２８…ＨＤＭＩ端子、１２９…ＨＤＭＩインターフェース、１４１…映像表示部、１４２…スピーカ、１５１…第１記録部、２００…輝度情報表示部
【図１】
2016122985.tif 000003
【図２】
2016122985.tif 000004
【図３Ａ】
2016122985.tif 000005
【図３Ｂ】
2016122985.tif 000006
【図４Ａ】
2016122985.tif 000007
【図４Ｂ】
2016122985.tif 000008
【図５】
2016122985.tif 000009
【図６】
2016122985.tif 000010
【図７】
2016122985.tif 000011
【図８】
2016122985.tif 000012
【図９】
2016122985.tif 000013
【図１０】
2016122985.tif 000014